(57)【要約】【課題】手摺を取付台から完全に取り外すことなく、手摺と壁との間を広げることができるエレベータかご内手摺装置を得る。【解決手段】この発明に係るエレベータかご内手摺装置は、かごの壁１に固定された取付台２と、この取付台２にロック機構３を介して連結された手摺４とを備え、ロック機構３は、回転軸８および固定金具１２を有し、手摺４を回転可能にし、および手摺４の回転の阻止を可能にする。【選択図】図１
2008143672.tif 000002
【特許請求の範囲】
【請求項１】
かごの壁に固定された取付台と、
前記取付台にロック機構を介して連結された手摺とを備え、
前記ロック機構は、前記手摺を回転可能にし、および前記手摺の回転の阻止を可能にすることを特徴とするエレベータかご内手摺装置。
【請求項２】
前記ロック機構は、
回転軸と、
前記回転軸に軸線方向に沿って設けられ、径方向外側に向かって突出した突起部を有した固定部とを備え、
前記取付台または前記手摺の少なくとも一方には、前記突起部が係止される係止溝が形成され、前記突起部が前記係止溝に係止されることで、前記固定部が前記手摺の回転を阻止することを特徴とする請求項１に記載のエレベータかご内手摺装置。
【請求項３】
前記ロック機構は、
回転軸と、
前記回転軸に設けられ、径方向沿って出し入れ可能な突起部とを備え、
前記回転軸の端部には、鍵が差し込まれ、前記鍵を回転することで、前記突起部が出し入れされる鍵穴が形成されていることを特徴とする請求項１に記載のエレベータかご内手摺装置。
【請求項４】
前記ロック機構は、
前記手摺に固定され、径方向に沿った孔が形成された回転軸と、
前記取付台に設けられ、前記孔に沿って出し入れ可能な固定部とを備え、
前記回転軸には、前記固定部が係止される係止部が形成され、前記固定部が前記係止部に係止されることで、前記固定部が前記回転軸の回転を阻止することを特徴とする請求項１に記載のエレベータかご内手摺装置。
【請求項５】
前記固定部には、電磁コイルが設けられ、この電磁コイルへの通電により発生する電磁力により前記固定部が移動することを特徴とすることを特徴とする請求項４に記載のエレベータかご内手摺装置。
【請求項６】
前記ロック機構には、前記固定部が前記孔に出し入れされたことを検出する検出スイッチが設けられていることを特徴とする請求項４または請求項５の何れか１項に記載のエレベータかご内手摺装置。
【請求項７】
前記検出スイッチは、エレベータの駆動を制御する制御装置と電気的に接続され、前記検出スイッチからの電気信号により、前記制御装置は、前記エレベータの駆動を予め設定した運転に制御することを特徴とする請求項６に記載のエレベータかご内手摺装置。
【請求項８】
前記検出スイッチは、エレベータに設けられ、外部と通信可能な通信手段と電気的に接続され、前記検出スイッチからの電気信号により、前記制御装置は、前記通信手段の外部への通信を可能にすることを特徴とする請求項６または請求項７に記載のエレベータかご内手摺装置。
【発明の詳細な説明】
【技術分野】
【０００１】
この発明は、エレベータのかご内に設けられ、回転可能な手摺を備えたエレベータかご内手摺装置に関する。
【背景技術】
【０００２】
従来、かごの壁に固定された取付台と、この取付台に着脱可能に設けられた手摺と、この手摺を取付台に固定するネジとを備えたエレベータかご内手摺装置が知られている（例えば、特許文献１参照）。
このエレベータかご内手摺装置を用いると、例えば、手摺と壁との間に物が挟まってしまったときに、固定用のネジを外した後、手摺を取付台から取り外すことで、挟まった物を取り除くことができる。
【０００３】
【特許文献１】実開平７−４４７４号公報
【発明の開示】
【発明が解決しようとする課題】
【０００４】
しかしながら、このものの場合、手摺が取付台から完全に外れてしまうので、例えば、手摺をかごの床に落としてしまうという問題点があった。
【０００５】
この発明は、上述のような問題点を解決することを課題とするものであって、その目的は、手摺を取付台から完全に取り外すことなく、手摺と壁との間を広げることができるエレベータかご内手摺装置を提供するものである。
【課題を解決するための手段】
【０００６】
この発明に係るエレベータかご内手摺装置は、かごの壁に固定された取付台と、前記取付台にロック機構を介して連結された手摺とを備え、前記ロック機構は、前記手摺を回転可能にし、および前記手摺の回転の阻止を可能にする。
【発明の効果】
【０００７】
この発明に係るエレベータかご内手摺装置によれば、手摺を取付台から完全に取り外すことなく、手摺と壁との間を広げることができる。
【発明を実施するための最良の形態】
【０００８】
以下、この発明の各実施の形態を図に基づいて説明するが、各図において、同一または相当の部材、部位については、同一符号を付して説明する。
実施の形態１．
図１は実施の形態１に係るエレベータかご内手摺装置の全体と側面を示す図、図２は図１の手摺４と取付台２とを示す分解斜視図、図３は図２の手摺４と取付台２とを拡大した拡大図、図４は図２の回転軸８と固定金具１２とを拡大した拡大図である。
実施の形態１に係るエレベータかご内手摺装置は、かごの壁１の内側にネジ２４を用いて固定された取付台２と、この取付台２に後述するロック機構３を介して連結された手摺４とを備えている。
取付台２は、壁１に対して垂直方向に突出した平板部５を有し、この平板部５には貫通孔６が形成されている。さらにこの平板部５に形成された貫通孔６の内周面には、互いに対向した位置に溝部７が２ヶ所形成されている。
ロック機構３は、回転軸８と固定金具１２とから構成されている。
取付台２の貫通孔６には、円筒形状の回転軸８が挿入され、この回転軸８の外周面には、互いに対向した位置に突起部９が２ヶ所形成されている。この突起部９が溝部７に嵌合することで、回転軸８は取付台２に固定されている。
回転軸８の端部には、径方向に対向した位置に、内周面と外周面とを貫通した溝部１０が形成されており、この溝部１０に嵌合する突起部１１を有した固定部である固定金具１２が回転軸８の端部に着脱可能である。固定金具１２を回転軸８に取付けたときに、突起部１１は回転軸８の外周よりも外側に突出している。
また、固定金具１２の反回転軸８側には、固定金具１２を覆ったキャップ２５が設けられている。
回転軸８の反固定金具１２側には、回転軸８を軸線方向に沿って貫通し、固定金具１２と螺着することで固定金具１２を取付台２に固定するボルト１３が設けられている。
【０００９】
手摺４の端部には、取付台２に向かって延びた平板形状のブラケット１４が設けられており、このブラケット１４には貫通した貫通孔１５が形成されている。さらにこのブラケット１４に形成された貫通孔１５の内周面には、互いに対向した位置に溝部１６が２ヶ所形成されている。
この溝部１６には、固定金具１２の突起部１１と嵌合されており、手摺４が取付台２に対して固定されている。
【００１０】
次に、実施の形態１に係るエレベータかご内手摺装置を用いて、手摺４と壁１との間を広げる手順について説明する。
例えば、手摺４と壁１との間に、物が挟まってしまった場合には、まず、ボルト１３を緩め、突起部１１と溝部１０との嵌合が外れる程度に、回転軸８の端部から固定金具１２を離し、突起部１１と溝部１６との嵌合を解除する。
突起部１１と溝部１０との嵌合の解除により、手摺４は回転軸８を中心に回転可能となり、手摺４と壁１との間が広げることができ、挟まった物を取り除くことができる。
利用者が手摺４を放すと、図５および図６に示すように、自重によって、手摺４は下方に移動するものの、手摺４は、取付台２に保持されたままである。
【００１１】
以上説明したように、実施の形態１に係るエレベータかご内手摺装置によると、固定金具１２にロック機構３を介して手摺４を連結し、このロック機構３が、手摺４を回転可能にする、および手摺４の回転を阻止することができるので、例えば、手摺４と壁１との間に物が挟まってしまった場合に、手摺４を取付台２から完全に取り外すことなく、手摺４と壁１との間を広げて、挟まった物を取り除くことができる。
【００１２】
また、固定金具１２を回転軸８から取り外すことで、回転軸８を中心に手摺４が回転可能となるので、簡単に、手摺４を回転させることができる。
【００１３】
また、上記実施の形態１では、突起部１１を有した固定金具１２を回転軸８に取付けることで、手摺４の回転を阻止するエレベータかご内手摺装置について説明したが、例えば、図７に示すように、回転軸８の端部の鍵穴に鍵を差し込み、鍵を回転させることで、回転軸８から突起部１１を径方向外側へ突出させることで、突起部１１を溝部１６と嵌合させ、手摺４の回転を阻止するエレベータかご内手摺装置であってもよい。
【００１４】
実施の形態２．
図８は実施の形態２に係るエレベータかご内手摺装置の回転軸８と取付台２とを示す分解斜視図、図９は図８の手摺４と回転軸８と取付台２と電磁棒１８とを示す断面図である。
ロック機構３は、回転軸８と電磁棒１８とから構成されている。
実施の形態２に係るエレベータかご内手摺装置は、手摺４のブラケット１４に、回転軸８が固定されている。
この回転軸８には、径方向に向かって孔１７が形成されている。
壁１に固定され、壁１に対して垂直方向に突出した平板部５を有した取付台２は、平板部５が対向して、２個配置されており、それぞれの平板部５には、貫通孔６が形成され、この貫通孔６には回転軸８が貫通し、回転可能に設けられている。
２個の取付台２の間には、後述する駆動装置により出し入れされる円柱形状の固定部である電磁棒１８が設けられている。この電磁棒１８の先端部は、回転軸８の孔１７に嵌合可能である。
【００１５】
図９に示すように、電磁棒１８の反回転軸８側の端部には、外周に沿って、電磁コイル１９が設けられており、この電磁コイル１９は、図示しない電源から通電可能となっており、この電源は、かご内に設けられた図示しない手摺固定解除用スイッチと電気的に接続されている。
また、電磁棒１８の反回転軸８側の端部には、回転軸８側に向かって付勢されたバネ２０が設けられており、電磁コイル１９が通電されると、磁石から構成された電磁棒１８は、電磁力により、バネ２０を押圧する方向に移動する。
電磁棒１８は、壁１を貫通しており、壁１の外側の電磁棒１８には、径方向外側に延びたフランジ部２１が形成されている。さらに、このフランジ部２１近傍には、フランジ部２１の移動に伴い、上下移動をするセンサ２２を有した検出スイッチ２３が設けられている。
この検出スイッチ２３は、図示しないエレベータの制御装置と電気的に接続され、この制御装置は、図示しない外部へ通信可能な通信手段と電気的に接続され、通信手段を制御している。
その他の構成は、実施の形態１と同様である。
【００１６】
次に、実施の形態２に係るエレベータかご内手摺装置の動作について説明する。
まず、手摺４と壁１との間に、物が挟まってしまった場合には、利用者が、かご内の手摺固定解除用スイッチを押す。
手摺固定解除用スイッチが押されると、電磁コイル１９が通電され、発生した電磁力により、電磁棒１８の先端部が回転軸８から引き抜かれる。
回転軸８から電磁棒１８の先端部が引き抜かれると、回転軸８とともに、手摺４が回転可能となり、利用者は、簡単に手摺４と壁１との間に挟まった物を取り出すことができる。
また、回転軸８から電磁棒１８の先端部が引き抜かれると、センサ２２が上方に移動して検出スイッチ２３が検出し、エレベータの制御装置に電気信号を送る。
エレベータの制御装置は、検出スイッチ２３からの電気信号により、予め設定されたエレベータの運転に従い、乗場の呼びを全てキャンセルし、エレベータを休止状態にするとともに、通信手段を外部へ通信可能にし、手摺４の固定が解除されたことを管理室に通報する。
【００１７】
以上説明したように、実施の形態２に係るエレベータかご内手摺装置によると、電磁棒１８を回転軸８から抜き出すことで、簡単に、回転軸８を中心に手摺４を回転可能にすることができる。
【００１８】
また、電磁棒１８には、通電により電磁力を発生させる電磁コイル１９が設けられているので、電磁コイル１９を通電させるだけで、簡単に回転軸８から電磁棒１８を抜き出し、手摺４の固定を解除することができる。
【００１９】
また、ロック機構３には、電磁棒１８が回転軸８から抜き出されたことを検出する検出スイッチ２３が設けられているので、手摺４の固定解除を検知することができる。
【００２０】
また、検出スイッチ２３は、エレベータを制御する制御装置と電気的に接続されているので、検出スイッチ２３により手摺４の固定解除を検出した後、エレベータの通常運転を停止し、緊急運転にすることができる。
【００２１】
また、検出スイッチ２３は、外部の管理室と通信する通信手段と電気的に接続されているので、検出スイッチ２３により手摺４の固定解除を検出した後、管理室へ通報することができる。
【００２２】
なお、上記実施の形態１では、取付台２に回転軸８を固定させ、手摺４に設けられた溝部１６に固定金具１２の突起部１１が係止されるエレベータかご内手摺装置について説明したが、勿論このものに限らず、例えば、手摺４に回転軸８を固定させ、取付台２に設けられた溝部７に固定金具１２の突起部１１が係止されるエレベータかご内手摺装置であってもよい。さらには、取付台２および手摺４が回転軸８に対して回転可能に設けられ、手摺４に設けられた溝部１６および取付台２に設けられた溝部７に固定金具１２の突起部１１が同時に係止されるエレベータかご内手摺装置であってもよい。
【００２３】
また、上記実施の形態２では、手摺固定解除用スイッチが押され、手摺４の固定を解除した後に、エレベータを緊急運転にし、管理室へ通報するエレベータかご内手摺装置について説明したが、勿論このものに限らず、図１２に示すように、手摺固定解除用スイッチが押され、エレベータを緊急運転にし、管理室へ通報した後に、管理室からの電気信号により、手摺４の固定が解除されるエレベータかご内手摺装置であってもよい。この場合、電磁コイル１９を駆動させる電源には、管理室に設けられた手摺固定解除用スイッチと電気的に接続されている。
【図面の簡単な説明】
【００２４】
【図１】実施の形態１に係るエレベータかご内手摺装置の全体と側面を示す図である。
【図２】図１の手摺と取付台とを示す分解斜視図である。
【図３】図２の手摺と取付台とを拡大した拡大図である。
【図４】図２の回転軸と固定金具とを拡大した拡大図である。
【図５】図１の手摺が回転した後を示す斜視図である。
【図６】図５の手摺と取付台とを拡大した拡大図である。
【図７】実施の形態１に係る他の例の回転軸を示す斜視図である。
【図８】実施の形態２に係るエレベータかご内手摺装置の回転軸と取付台とを示す分解斜視図である。
【図９】図８の手摺と回転軸と固定金具とを示す断面図である。
【図１０】図９の回転軸から磁気棒が外れたときを示す断面図である。
【図１１】図８の手摺が回転した後を示す断面図である。
【図１２】実施の形態２に係る他の例を示すエレベータかご内手摺装置のフローチャート図である。
【符号の説明】
【００２５】
１  壁、２  取付台、３  ロック機構、４  手摺、５  平板部、６  貫通孔、７  溝部、８  回転軸、９  突起部、１０  溝部、１１  突起部、１２  固定金具、１３  ボルト、１４  ブラケット、１５  貫通孔、１６  溝部、１７  孔、１８  電磁棒、１９  電磁コイル、２０  バネ、２１  フランジ部、２２  センサ、２３  検出スイッチ、２４  ネジ、２５  キャップ。
【図１】
2008143672.tif 000003
【図２】
2008143672.tif 000004
【図３】
2008143672.tif 000005
【図４】
2008143672.tif 000006
【図５】
2008143672.tif 000007
【図６】
2008143672.tif 000008
【図７】
2008143672.tif 000009
【図８】
2008143672.tif 000010
【図９】
2008143672.tif 000011
【図１０】
2008143672.tif 000012
【図１１】
2008143672.tif 000013
【図１２】
2008143672.tif 000014